(57)【要約】【課題】少なくとも側面から光を出射する発光素子を有し、かつ発光素子から出射された光を所望の配光に制御することができる発光装置を提供すること。【解決手段】本発明に係る発光装置は、到達した光を正反射する正反射領域が一方の面に配置された基板と、基板上に配置され、少なくとも側面から光を出射する発光素子と、発光素子上に配置され、発光素子から出射される光の配光を制御する光束制御部材とを有する。光束制御部材は、基板側に配置された裏面と、裏面に開口した凹部の内面であって、発光素子から出射された光を入射させる入射面と、入射面で入射した光の少なくとも一部を外部に出射させる出射面とを含む。正反射領域の外縁部は、凹部の開口縁部より外側に位置している。【選択図】図５
2015215984.tif 000002
【特許請求の範囲】
【請求項１】
到達した光を正反射する正反射領域が一方の面に配置された基板と、
前記基板上に配置され、少なくとも側面から光を出射する発光素子と、
前記発光素子上に配置され、前記発光素子から出射される光の配光を制御する光束制御部材と、
を有し、
前記光束制御部材は、
前記基板側に配置された裏面と、
前記裏面に開口した凹部の内面であって、前記発光素子から出射された光を入射させる入射面と、
前記入射面で入射した光の少なくとも一部を外部に出射させる出射面と、
を含み、
前記正反射領域の外縁部は、前記凹部の開口縁部より外側に位置している、
発光装置。
【請求項２】
前記出射面は、前記裏面の反対側に配置され、
前記正反射領域の外縁部は、前記発光素子から出射し、前記入射面で入射した光のうち、前記出射面でフレネル反射し前記裏面に到達した光の光量がピークを示す位置よりも内側に配置されている、
請求項１に記載の発光装置。
【請求項３】
請求項１または請求項２に記載の発光装置と、
前記発光装置からの光を拡散させつつ透過させる光拡散部材と、
を有する、面光源装置。
【請求項４】
請求項３に記載の面光源装置と、
前記面光源装置から出射された光を照射される表示部材と、
を有する、表示装置。
【発明の詳細な説明】
【技術分野】
【０００１】
本発明は、発光素子と光束制御部材を有する発光装置、当該発光装置を有する面光源装置および表示装置に関する。
【背景技術】
【０００２】
液晶表示装置などの透過型画像表示装置では、直下型の面光源装置を使用することがある。近年、光源として複数の発光素子を有する、面光源装置が使用されるようになってきている。
【０００３】
たとえば、面光源装置は、基板、複数の発光素子、複数の光束制御部材および拡散板を有する。複数の発光素子は、基板上にマトリックス状に配置されている。各発光素子の上には、各発光素子から出射された光を基板の面方向に拡げる光束制御部材が配置されている。発光素子から出射された光は、光束制御部材により拡散され、被照射部材（例えば液晶パネル）を面状に照らす（例えば、特許文献１参照）。
【０００４】
図１は、特許文献１に記載の面光源装置（バックライト装置）の構成を示す図である。図１に示されるように、特許文献１に記載されているバックライト装置（面光源装置）１０は、絶縁層２１、配線層２２およびレジスト層２３が順番に積層された実装基板２０と、実装基板２０上に配置され、上面から光が出射される発光チップ（発光素子）３２を含み、半田層３１を介して実装基板２０と電気的に接続されているパッケージ３０と、パッケージ３０を覆うように実装基板２０上に配置され、発光チップ３２から出射された光の配光を制御する拡散レンズ（光束制御部材）４０と、拡散レンズ４０から出射された光を拡散させつつ透過させる拡散板５０とを有する。また、拡散レンズ４０は、パッケージ３０から出射された光を拡げるレンズ部４１と、接着剤４６を介してレンズ部４１を実装基板２０に固定するための固定部４２とを有する。そして、レンズ部４１は、実装基板２０側の底面４３と、底面４３に開口した凹状の光入射面４４と、光入射面４４の反対側に配置された光出射面４５とを有する。
【０００５】
発光チップ３２から出射された光は、光入射面４４から拡散レンズ４０に入射する。拡散レンズ４０に入射した光は、光出射面４５から拡散レンズ４０の外部に出射される。そして、外部に出射された光は、拡散板５０を拡散されつつ透過することで被照射部材を面状に照らす。
【０００６】
また、特許文献２には、側面から発光するフリップチップタイプのＬＥＤが記載されている。特許文献２に記載のＬＥＤでは、光を発する蛍光体層の上面に反射性の膜を配置することで、側面から光を出射するようにしている。
【先行技術文献】
【特許文献】
【０００７】
【特許文献１】特開２０１３−２１８９４０号公報
【特許文献２】特表２０１０−５３７４００号公報
【発明の概要】
【発明が解決しようとする課題】
【０００８】
特許文献１に記載のバックライト装置１０では、パッケージ３０の上面よりも上側に拡散レンズ４０を配置することで、発光チップ３２から出射される光の拡散レンズ４０への入射効率を最適化している。一方で、様々な理由で、特許文献１に記載のバックライト装置１０に、特許文献２に記載されているような側面から光を出射するＬＥＤを搭載する可能性がある。
【０００９】
しかしながら、特許文献１に記載のバックライト装置１０に特許文献２に記載のＬＥＤを搭載した場合、特許文献２に記載のＬＥＤは側面から光を出射するため、ＬＥＤの側面から出射された光の一部は、実装基板２０に到達する。そして、実装基板２０に到達した光の一部は、レジスト層２３で散乱し、拡散レンズ４０の底面４３から拡散レンズ４０に入射して制御不能な光となってしまうおそれがある。このように、特許文献１に記載の面光源装置（バックライト装置）には、側面から光を出射する発光素子を使用した場合に、発光素子から出射された光を所望の配光に制御できないという問題がある。
【００１０】
そこで、本発明の目的は、少なくとも側面から光を出射する発光素子を有し、かつ発光素子から出射された光を所望の配光に制御することができる発光装置を提供することである。
【００１１】
また、本発明の別の目的は、この発光装置を有する面光源装置および表示装置を提供することである。
【課題を解決するための手段】
【００１２】
本発明の発光装置は、到達した光を正反射する正反射領域が一方の面に配置された基板と、前記基板上に配置され、少なくとも側面から光を出射する発光素子と、前記発光素子上に配置され、前記発光素子から出射される光の配光を制御する光束制御部材と、を有し、前記光束制御部材は、前記基板側に配置された裏面と、前記裏面に開口した凹部の内面であって、前記発光素子から出射された光を入射させる入射面と、前記入射面で入射した光の少なくとも一部を外部に出射させる出射面と、を含み、前記正反射領域の外縁部は、前記凹部の開口縁部より外側に位置している。
【００１３】
本発明の面光源装置は、本発明の発光装置と、前記発光装置からの光を拡散させつつ透過させる光拡散部材と、を有する。
【００１４】
本発明の表示装置は、本発明の面光源装置と、前記面光源装置から出射された光を照射される表示部材と、を有する。
【発明の効果】
【００１５】
本発明によれば、側面から光を出射する発光素子を有しつつも、発光素子から出射された光の配光を適切に制御することができる。したがって、本発明に係る面光源装置および表示装置は、輝度ムラが小さい。
【図面の簡単な説明】
【００１６】
【図１】図１は、特許文献１に記載のバックライト装置の構成を示す図である。
【図２】図２Ａ、Ｂは、実施の形態１に係る面光源装置の構成を示す図である。
【図３】図３Ａ、Ｂは、実施の形態１に係る面光源装置の断面図である。
【図４】図４は、実施の形態１に係る面光源装置の部分拡大断面図である。
【図５】図５Ａは、実施の形態１に係る発光装置の部分拡大断面図であり、図５Ｂは、基板および発光素子の部分拡大平面図である。
【図６】図６Ａは、比較用の発光装置における発光素子近傍の光路図であり、図６Ｂは、実施の形態１に係る発光装置における発光素子近傍の光路図である。
【図７】図７は、実施の形態１に係る発光装置の光路図である。
【図８】図８Ａは、実施の形態２に係る面光源装置の部分拡大断面図であり、図８Ｂは、実施の形態２に係る発光装置の部分拡大断面図である。
【発明を実施するための形態】
【００１７】
以下、本発明の実施の形態について、図面を参照して詳細に説明する。以下の説明では、本発明に係る面光源装置の代表例として、液晶表示装置のバックライトなどに適する面光源装置について説明する。これらの面光源装置は、面光源装置からの光を照射される被照射部材（例えば液晶パネル）と組み合わせることで、表示装置として使用されうる。
【００１８】
［実施の形態１］
（面光源装置の構成）
図２および図３は、本発明の実施の形態１に係る面光源装置１００の構成を示す図である。図２Ａは、本実施の形態に係る面光源装置１００の平面図であり、図２Ｂは、正面図である。図３Ａは、図２Ｂに示されるＡ−Ａ線の断面図であり、図３Ｂは、図２Ａに示されるＢ−Ｂ線の断面図である。
【００１９】
図２および図３に示されるように、本実施の形態に係る面光源装置１００は、筐体１２０、光拡散部材１４０および複数の発光装置１６０を有する。複数の発光装置１６０は、筐体１２０の底板１２２上にマトリックス状に配置されている。底板１２２の内面は、拡散反射面として機能する。また、筐体１２０の天板には、開口部が設けられている。開口部の大きさは、特に限定されないが、例えば約４００ｍｍ×約７００ｍｍ（３２インチ）である。
【００２０】
光拡散部材１４０は、筐体１２０の開口部を塞ぐように配置されている。光拡散部材１４０は、光拡散性を有する板状の部材であり、発光装置１６０からの出射光を拡散させつつ透過させる。通常、光拡散部材１４０は、液晶パネルなどの被照射部材とほぼ同じ大きさである。たとえば、光拡散部材１４０は、ポリメタクリル酸メチル（ＰＭＭＡ）、ポリカーボネート（ＰＣ）、ポリスチレン（ＰＳ）、スチレン・メチルメタクリレート共重合樹脂（ＭＳ）などの光透過性樹脂により形成される。光拡散性を付与するため、光拡散部材１４０の表面に微細な凹凸が形成されているか、または光拡散部材１４０の内部にビーズなどの光拡散子が分散している。
【００２１】
（発光装置の構成）
図４は、面光源装置１００の部分拡大断面図（図３Ｂの部分拡大断面図）である。図５Ａは、発光装置１６０の部分拡大断面図（図４の部分拡大断面図）であり、図５Ｂは、基板１７０および発光素子１８０の部分拡大平面図である。
【００２２】
図４および図５に示されるように、複数の発光装置１６０は、それぞれ基板１７０、発光素子１８０および光束制御部材１９０を有する。
【００２３】
基板１７０は、平板状の部材であり、発光素子１８０および光束制御部材１９０を支持する。基板１７０は、基板本体１７１、２つの銅箔層１７２、レジスト層１７３および２つのめっき層１７４を有する。
【００２４】
基板本体１７１は、平板状の絶縁体である。基板本体１７１の平面視形状は、特に限定されない。基板本体１７１の平面視形状は、円形であってもよいし、多角形であってもよい。本実施の形態では、基板本体１７１の平面視形状は、長方形である。また、基板本体１７１の厚みは、特に限定されず、適宜設定されうる。さらに、基板本体１７１を構成する材料は、絶縁体であれば特に限定されない。本実施の形態では、基板本体１７１は、ガラスエポキシ基板である。
【００２５】
２つの銅箔層１７２は、基板本体１７１上にそれぞれ離間して配置されている。２つの銅箔層１７２の間には、レジスト層１７３が配置されており、互いに絶縁されている。２つの銅箔層１７２は、めっき層１７４および半田層１７６を介して発光素子１８０の２つの端子にそれぞれ接続されており、配線として機能する。基板本体１７１上における２つの銅箔層１７２の配置は、発光素子１８０の配線として機能すれば特に限定されず、適宜設定されうる。また、銅箔層１７２の厚みは、特に限定されず、適宜設定されうる。
【００２６】
レジスト層１７３は、２つの銅箔層１７２上と、２つの銅箔層１７２の間に配置されており、主に２つの銅箔層１７２を保護する。レジスト層１７３を構成する材料は、絶縁性を有し、かつ銅箔層１７２を保護することができれば特に限定されず、公知の材料から適宜選択されうる。
【００２７】
めっき層１７４は、２つの銅箔層１７２上にそれぞれ配置されている。めっき層１７４は、発光素子１８０を固定した半田層１７６と銅箔層１７２とを電気的に接続する。めっき層１７４の種類は、導電性を有していれば特に限定されない。めっき層１７４の例には、半田めっきなどが含まれる。また、発光素子１８０側のめっき層１７４の表面は、発光素子１８０から出射された光を正反射する正反射領域１７５として機能する。すなわち、正反射領域１７５は、基板１７０の一方の面に、発光素子１８０の周囲の一部を除いて取り囲むように配置されている。本実施の形態では、めっき層１７４の表面が鏡面加工されているため、めっき層１７４の表面が正反射領域１７５として機能する。正反射領域１７５の平面視形状は、特に限定されない。本実施の形態では、正反射領域１７５の平面視形状は、略半円形状である。なお、本実施の形態に係る面光源装置１００は、光束制御部材１９０直下の特定の領域に正反射領域１７５を有することを一つの特徴とする。そこで、正反射領域１７５の位置については、後述する。
【００２８】
発光素子１８０は、面光源装置１００の光源であり、基板１７０の正反射領域１７５上に配置されている。発光素子１８０は、少なくとも側面から光が出射する光源であれば特に限定されない。本実施の形態では、発光素子１８０は、天面および側面から光が出射するフリップタイプ発光ダイオード（ＬＥＤ）である。発光素子１８０は、底面の２つの端子がそれぞれめっき層１７４に固定されることで、銅箔層１７２と電気的に接続されている。
【００２９】
光束制御部材１９０は、発光素子１８０から出射された光の配光を制御する拡散レンズであり、基板１７０上に固定されている。光束制御部材１９０は、その中心軸ＣＡが発光素子１８０の光軸ＬＡに一致するように、発光素子１８０の上に配置されている。発光素子１８０が実装された基板１７０の表面と光束制御部材１９０の裏面１９１との間には、発光素子１８０から発せられる熱を外部に逃がすための隙間が形成されている。中心軸ＣＡ方向における裏面と基板１７０との距離は、特に限定されないが、短いことが好ましい。なお、「発光素子の光軸ＬＡ」とは、発光素子１８０からの立体的な出射光束の中心の光線を意味する。
【００３０】
光束制御部材１９０は、一体成形により形成されている。光束制御部材１９０の材料は、所望の波長の光を通過させ得る材料であれば特に限定されない。たとえば、光束制御部材１９０の材料は、ポリメタクリル酸メチル（ＰＭＭＡ）やポリカーボネート（ＰＣ）、エポキシ樹脂（ＥＰ）などの光透過性樹脂、またはガラスである。
【００３１】
本実施の形態に係る発光装置１６０では、各発光素子１８０から出射された光は、各光束制御部材１９０により光拡散部材１４０の広範囲を照らすように拡げられる。各発光装置１６０から出射された光は、さらに光拡散部材１４０により拡散される。その結果、本実施の形態に係る面光源装置１００は、面状の被照射部材（例えば液晶パネル）を均一に照らすことができる。
【００３２】
（光束制御部材の構成）
図４に示されるように、光束制御部材１９０は、裏面１９１、入射面１９２および出射面１９３を有する。また、光束制御部材１９０には、裏面１９１および出射面１９３の間に鍔部１９５が配置されていてもよい。さらに、裏面１９１には、発光素子１８０と光束制御部材１９０との間に隙間を形成するための脚部が配置されていてもよい。
【００３３】
裏面１９１は、基板１７０側に配置され、中心軸ＣＡ（発光素子１８０の光軸ＬＡ）に垂直な方向に延在する平面である。裏面１９１の中央部分には、内面が入射面１９２となる凹部１９４が開口している。裏面１９１の平面視形状は、特に限定されない。本実施の形態では、裏面１９１の平面視形状は、円形である。
【００３４】
入射面１９２は、光源から出射された光を入射させる。入射面１９２は、裏面１９１に開口した凹部１９４の内面である。入射面１９２は回転対称面であり、入射面１９２の中心軸と光束制御部材１９０の中心軸ＣＡは一致している。
【００３５】
出射面１９３は、裏面１９１の反対側に配置されている。出射面１９３は、入射面１９２で入射した光の少なくとも一部を出射させる。出射面１９３は、中心軸ＣＡの周辺に位置する第１出射面１９３ａと、第１出射面１９３ａの周囲に連続して形成される第２出射面１９３ｂと、第２出射面１９３ｂと鍔部１９５とを接続する第３出射面１９３ｃとを有する。第１出射面１９３ａは、下側（発光素子１８０側）に凸の滑らかな曲面である。第２出射面１９３ｂは、第１出射面１９３ａの周囲に位置する、上側（光拡散部材１４０側）に凸の滑らかな曲面である。第３出射面１９３ｃは、第２出射面１９３ｂの周囲に位置する滑らかな曲面である。図４に示される断面において、第３出射面１９３ｃの断面は、直線状であってもよいし、曲線状であってもよい。
【００３６】
鍔部１９５は、出射面１９３の外周部と裏面１９１の外周部との間に位置し、中心軸ＣＡ（発光素子１８０の光軸ＬＡ）に垂直な方向に突出している。鍔部１９５は、必ずしも必要ではないが、鍔部１９５を設けることで、光束制御部材１９０の取り扱いおよび位置合わせが容易になる。鍔部１９５の厚みは、特に限定されず、出射面１９３の必要面積や鍔部１９５の成形性などを考慮して決定される。光束制御部材１９０を射出成形により製造する場合、鍔部１９５にはゲート跡（図示省略）が形成されることがある。また、鍔部１９５には、面光源装置１００の製造装置が光束制御部材１９０の向きを認識するための複数の突出部（図示省略）が形成されていてもよい。
【００３７】
また、光束制御部材１９０は、複数の脚部を有していてもよい。脚部は、凹部１９４の周囲において、裏面１９１から下側（発光素子１８０側）に向かって突出している円柱状の部材である。複数の脚部は、発光素子１８０に対して適切な位置に光束制御部材１９０を位置決めする機能を担っている。
【００３８】
本実施の形態に係る光束制御部材１９０では、発光素子１８０から出射された光は、入射面１９２で光束制御部材１９０内に入射する。そして、入射した光の一部は、出射面１９３から光束制御部材１９０の外部に出射する。また、入射した光の一部は、フレネル反射により裏面１９１に向かって反射する。本実施の形態に係る発光装置１６０では、正反射領域１７５は、このフレネル反射した光も考慮に入れて設計されている。
【００３９】
次に、光束制御部材１９０と正反射領域１７５との位置関係について、図６Ａおよび図６Ｂを参照して説明する。図６Ａは、比較用の発光装置における発光素子近傍の光路図であり、図６Ｂは、本実施の形態に係る発光装置における発光素子近傍の光路図である。図６Ａに示される発光装置と、図６Ｂに示される発光装置とでは、正反射領域１７５の大きさが異なり、その結果として正反射領域１７５の外縁部の位置が異なっている。
【００４０】
図６Ａに示されるように、正反射領域１７５の外縁部が凹部１９４の開口縁部より内側（中心軸ＣＡ側）に位置する場合、発光素子１８０の側面から出射した光の一部は、直接レジスト層１７３に到達してしまう。このようにレジスト層１７３に到達した光は、レジスト層１７３により散乱され、制御できない光となってしまう。
【００４１】
一方、図６Ｂに示されるように、正反射領域１７５の外縁部が凹部１９４の開口縁部より外側に位置する場合も、発光素子１８０の側面から出射した光の一部は基板１７０に到達する。しかしながら、基板１７０に到達する光は、すべて正反射領域１７５で正反射され、入射面１９２から光束制御部材１９０内に入射する。このように正反射領域１７５で正反射された光は、発光素子１８０から光束制御部材１９０内に直接入射した光と同様に、出射面１９３によって適切に制御されうる。すなわち、正反射領域１７５の外縁部が凹部１９４の開口縁部より外側に位置する場合は、側面から光が出射される発光素子１８０を用いても、発光素子１８０から出射された光の配光を適切に制御することができる。
【００４２】
図７は、発光素子１８０の天面から出射した光の一部の光路図である。図７に示されるように、発光素子１８０の天面から出射された光は、入射面１９２で光束制御部材１９０内に入射する。光束制御部材１９０内に入射した光は、出射面１９３に到達し、出射面１９３から外部に出射される（実線の矢印）。このとき、出射面１９３の形状により光が屈折するため、光の進行方向が制御される。その一方で、出射面１９３に到達した光の一部は、出射面１９３で反射し（フレネル反射）、発光素子１８０が実装されている基板１７０と対向する裏面１９１に到達する（破線の矢印）。裏面１９１に到達した光は、その後に基板１７０に到達する。このように、出射面１９３でフレネル反射した光が基板１７０まで到達した場合に、出射面１９３の方向へ向けて正反射領域１７５で反射させるよりも、レジスト層１７３で拡散反射させた方が発光装置１６０の上部における光拡散部材１４０上での明部の発生を抑制することができる。したがって、正反射領域１７５の外縁部は、出射面１９３でフレネル反射した光が裏面１９１（レジスト層１７３）に多く到達する位置（到達した光の光量がピークを示す位置）より内側（中心軸ＣＡ側）であることが好ましい。光束制御部材１９０の出射面１９３でフレネル反射した光が多く到達する裏面１９１上の位置については、特開２０１２―００４０７８号公報に示されるように、シミュレーションや実験などによって求めることができる。なお、正反射領域１７５の外縁部が、フレネル反射した光がレジスト層１７３に到達する位置より外側にあっても、その位置には、発光素子１８０の側面からの光がほとんど到達しないため、効果が飽和する。
【００４３】
（効果）
以上のように、実施の形態１に係る発光装置１６０は、凹部１９４の開口部より大きな
正反射領域１７５が発光素子１８０の周囲に配置されているため、光が側面から出射される発光素子１８０を用いた場合であっても、発光素子１８０から出射された光を適切に制御することができる。よって、本発明に係る面光源装置１００は、輝度ムラが小さい。
【００４４】
［実施の形態２］
実施の形態２に係る面光源装置２００は、発光装置における光束制御部材の形状のみが実施の形態１に係る面光源装置１００と異なる。そこで、実施の形態２に係る発光装置２６０のみについて説明する。
【００４５】
（発光装置および光束制御部材の構成）
図８Ａは、実施の形態２に係る面光源装置２００の部分拡大断面図であり、図８Ｂは、実施の形態２に係る発光装置２６０の部分拡大断面図である。これらの図に示されるように、実施の形態２に係る発光装置２６０は、基板１７０、発光素子１８０および光束制御部材２９０を有する。なお、基板１７０および発光素子１８０は、実施の形態１と同じため、その説明を省略する。
【００４６】
実施の形態２に係る光束制御部材２９０は、裏面１９１、入射面２９２、反射面２９６および出射面２９３を有する。実施の形態２に係る光束制御部材２９０は、発光素子１８０の天面から出射し、入射面２９２の天面２９７で入射した光を反射面２９６で側方に反射させた後、出射面２９３から側方に向かって光束制御部材２９０の外部に出射させる。また、発光素子１８０の側面から出射し、入射面２９２の側面２９８で入射させた後、出射面２９３から側方に向かって光束制御部材２９０の外部に出射させる。
【００４７】
裏面１９１は、光束制御部材２９０の裏側に配置された平面である。本実施の形態では、裏面１９１は、中心軸ＣＡに対して垂直方向に配置されている。裏面１９１の中央部分には凹部２９４が開口している。
【００４８】
入射面２９２は、裏面１９１の中央部分に開口した凹部２９４の内面であり、発光素子１８０から出射した光を光束制御部材２９０の内部に入射させる。入射面２９２は、中心軸ＣＡを中心とする回転対称（円対称）面である。入射面２９２は、天面２９７および側面２９８を有する。
【００４９】
天面２９７は、中心軸ＣＡに交わるように配置されており、凹部２９４の天井部に該当する。天面２９７の形状は、特に限定されない。天面２９７の形状は、平面であってもよい。また、天面２９７は、平面部の中央に略円錐形状部分を有していてもよい。本実施の形態では、天面２９７は、その中央部分に略円錐形状部分を有している。また、天面２９７の平面視形状は、特に限定されないが、本実施の形態では、円形である。
【００５０】
側面２９８は、天面２９７の外周縁部と凹部２９４の開口縁部とを接続する。中心軸ＣＡに垂直な方向における側面２９８の断面形状は、特に限定されない。本実施の形態では、中心軸ＣＡに垂直な方向における側面２９８の形状は、円形である。
【００５１】
反射面２９６は、入射面１９２で入射した光を側方に向けて反射させる。反射面２９６は、光束制御部材１９０の中心軸ＣＡを中心とする回転対称（円対称）面である。また、この回転対称面の中心部分から外周部分にかけての母線は、発光素子１８０に対して凹の曲線であり、反射面２９６は、中心軸ＣＡを回転軸として、この母線を３６０°回転させた状態の曲面である（図８Ａ参照）。すなわち、反射面２９６は、中心部分から外周部分に向かうにつれて発光素子１８０からの高さが高くなる非球面形状の曲面を有する。また、反射面２９６の外周部分は、反射面２９６の中心と比較して、発光素子１８０の光軸ＬＡ方向における発光素子１８０からの距離（高さ）が離れた位置に形成されている。たとえば、反射面２９６は、中心部分から外周部分に向かうにつれて発光素子１８０からの高さが高くなる非球面形状の曲面であるか、または、中心部分から所定の地点までは中心部分から外周部分に向かうにつれて発光素子１８０（基板１７０）からの高さが高くなり、前記所定の地点から外周部分までは中心部分から外周部分に向かうにつれて発光素子１８０からの高さが低くなる非球面形状の曲面である。前者の場合、基板１７０の面方向に対する反射面２９６の傾斜角度は、中心部分から外周部分に向かうにつれて小さくなる。一方、後者の場合、反射面２９６には、中心部分と外周部分との間であって、かつ外周部分に近い位置に、基板１７０の面方向に対する傾斜角度が零（基板１７０と平行）となる点が存在する。なお、「母線」とは、一般的に線織面を描く直線を意味するが、本明細書では回転対称面である反射面２９６を描くための曲線を含む語として用いる。
【００５２】
出射面２９３は、天面２９７で入射し反射面２９６で反射した光および側面２９８で入射した光を光束制御部材１９０の外部に出射させる。出射面２９３は、中心軸ＣＡを取り囲むように配置されている。本実施の形態では、出射面２９３は、中心軸ＣＡに沿った曲面である。中心軸ＣＡを含む断面において、出射面２９３の上端は、反射面２９６に接続されている。一方、中心軸ＣＡを含む断面において、出射面２９３の下端は、裏面１９１に接続されている。
【００５３】
本実施の形態においても、正反射領域１７５の外縁部が、凹部２９４の開口縁部より中心軸ＣＡ側に位置する場合、発光素子１８０から出射した光が直接レジスト層１７３に到達してしまう。これにより、レジスト層１７３に到達した光は、散乱してしまい制御不能な光となってしまう。
【００５４】
一方、正反射領域１７５の外縁部が、凹部２９４の開口縁部より外側に位置している場合には、発光素子１８０の側面から出射した光は、すべて正反射領域１７５で正反射され、入射面２９２から光束制御部材２９０内に入射する。よって、側面から光が出射される発光素子１８０を用いても、発光素子１８０から出射された光の配光を適切に制御することができる。
【００５５】
（効果）
以上のように、実施の形態２に係る面光源装置２００は、実施の形態１に係る面光源装置１００と同様の効果を有する。
【００５６】
なお、上記各実施の形態では、めっき層１７４の表面を鏡面加工することで正反射領域１７５を形成したが、正反射領域１７５の形成方法はこれに限定されない。たとえば、正反射領域１７５は、正反射機能を有する他の部材を基板１７０上に配置することで形成してもよい。
【産業上の利用可能性】
【００５７】
本発明に係る発光装置および面光源装置は、例えば、液晶表示装置のバックライトや一般照明などに適用することができる。
【符号の説明】
【００５８】
１０  バックライト装置
２０  実装基板
２１  絶縁層
２２  配線層
２３  レジスト層
３０  パッケージ
３１  半田層
３２  発光チップ
４０  拡散レンズ
４１  レンズ部
４２  固定部
４３  底面
４４  光入射面
４５光出射面
４６  接着剤
５０  拡散板
１００  面光源装置
１２０  筐体
１４０  光拡散部材
１６０、２６０  発光装置
１７０  基板
１７１  基板本体
１７２  銅箔層
１７３  レジスト層
１７４  めっき層
１７５  正反射領域
１７６  半田層
１８０  発光素子
１９０、２９０  光束制御部材
１９１  裏面
１９２、２９２  入射面
１９３、２９３  出射面
１９３ａ  第１出射面
１９３ｂ  第２出射面
１９３ｃ  第３出射面
１９４、２９４  凹部
１９５  鍔部
１９８、２９８  側面
２９６  反射面
２９７  天面
ＣＡ  中心軸
ＬＡ  光軸
【図１】
2015215984.tif 000003
【図２】
2015215984.tif 000004
【図３】
2015215984.tif 000005
【図４】
2015215984.tif 000006
【図５】
2015215984.tif 000007
【図６】
2015215984.tif 000008
【図７】
2015215984.tif 000009
【図８】
2015215984.tif 000010